(57)【要約】      （修正有）【課題】犯罪をたくらむ者がマスクで顔を隠せないようにする、犯罪を防止するのに極めて有用な防犯マスクを提供する。【解決手段】着用者の口及び鼻を被う広さの被い面を有するマスク部２と、このマスク部を着用者の顔の所定位置に固定するための装着手段３を備えたマスクであって、少なくともマスク部２の全体をこのマスク部で被われた着用者の顔が外部から透けて見える透明な柔軟シート材で形成した防犯マスク１を提供する。この防犯マスクによれば、マスクで被われた着用者の顔が外部から透けて見えるため、犯罪をたくらむ者がマスクで顔を隠すことができない。【選択図】図１
0003185729.tif 000002
【実用新案登録請求の範囲】
【請求項１】
着用者の口及び鼻を被う広さの被い面を有するマスク部と、このマスク部を着用者の顔の所定位置に固定するための装着手段を備え、この装着手段を前記マスク部の両側部からそれぞれ半環状に延設した紐状の耳掛け部で構成したマスクであって、このマスクの前記マスク部の全体をこのマスクの前記マスク部で被われた着用者の顔が外部から透けて見える透明な柔軟シート材で形成したことを特徴とする防犯マスク。
【請求項２】
着用者の口及び鼻を被う広さの被い面を有するマスク部と、このマスク部を着用者の顔の所定位置に固定するための装着手段を備え、この装着手段を前記マスク部の両側部からそれぞれ半環状に延設した紐状の耳掛け部で構成したマスクであって、このマスクの前記マスク部及び前記耳掛け部の全体をこのマスクの前記マスク部及び前記耳掛け部で被われた着用者の顔が外部から透けて見える透明な柔軟シート材で形成したことを特徴とする防犯マスク。
【請求項３】
着用者の口及び鼻を被う広さの被い面を有するマスク部と、このマスク部を着用者の顔の所定位置に固定するための装着手段を備え、この装着手段を、前記マスク部の両側部の内側面に粘着剤を塗布した粘着部と、この粘着部の粘着面を被覆する剥離紙で構成したマスクであって、このマスクの前記マスク部の全体をこのマスクの前記マスク部で被われた着用者の顔が外部から透けて見える透明な柔軟シート材で形成したことを特徴とする防犯マスク。
【請求項４】
前記マスク部に多数の微小な通気孔を形成した請求項１から３のいずれかに記載の防犯マスク。
【請求項５】
透明な柔軟シート材が透明で柔軟な樹脂フィルムである請求項１から３のいずれかに記載の防犯マスク。
【請求項６】
着用者の口及び鼻を被う広さの被い面を有するマスク部と、このマスク部を着用者の顔の所定位置に固定するための装着手段を備え、この装着手段を前記マスク部の両側部からそれぞれ半環状に延設した紐状の耳掛け部で構成したマスクであって、前記マスク部を、着用者の口及び鼻を被う広さの被い面を有する柔軟シート材から成る被い面部材と、この被い面部材の上端部の内側面に固着され、鼻に当たる部分を鼻に倣って凹状に湾曲形成した鼻当接部を有する鼻当接部材と、前記被い面部材の下端部の内側面に固着され、顎に当たる部分を顎に倣って凹状に湾曲形成した顎当接部を有する顎当接部材とで構成し、前記被い面部材に多数の微小な通気孔を形成し、前記鼻当接部材と顎当接部材は、透明な樹脂部材で形成すると共に、前記被い面部材が着用者の唇にくっつかない様に着用者の唇から離間させるための奥行き幅をもって構成し、柔軟シート材から成る前記被い面部材をこの被い面部材で被われた着用者の顔が外部から透けて見える透明で柔軟な樹脂フィルムで形成したことを特徴とする防犯マスク。
【請求項７】
着用者の口及び鼻を被う広さの被い面を有するマスク部と、このマスク部を着用者の顔の所定位置に固定するための装着手段を備え、この装着手段を前記マスク部の両側部からそれぞれ半環状に延設した紐状の耳掛け部で構成したマスクであって、前記マスク部を、着用者の口及び鼻を被う広さの被い面を有する柔軟シート材から成る被い面部材と、この被い面部材の内側面側に固着され、着用者の口及び鼻を枠内に囲む枠体とで構成し、この枠体には、鼻に当たる部分を鼻に倣って凹状に湾曲形成した鼻当接部と、顎に当たる部分を顎に倣って凹状に湾曲形成した顎当接部を有し、前記被い面部材に多数の微小な通気孔を形成し、前記枠体は、透明な樹脂部材で形成すると共に、前記被い面部材が着用者の唇にくっつかない様に着用者の唇から離間させるための奥行き幅をもって構成し、柔軟シート材から成る前記被い面部材をこの被い面部材で被われた着用者の顔が外部から透けて見える透明で柔軟な樹脂フィルムで形成したことを特徴とする防犯マスク。
【考案の詳細な説明】
【技術分野】
【０００１】
本考案はマスクに係り、マスクで顔を隠せないようにした、犯罪を防止するのに極めて有用な防犯マスクに関する。
【背景技術】
【０００２】
着用者の口や鼻を広範囲に被うマスクは花粉や病菌やほこりを防ぐ衛生上の観点から極めて重要な物である。しかし、着用者の口や鼻を広範囲に被うマスクは、銀行のＡＴＭ操作などで犯罪をたくらむ者が顔を隠すための道具として悪用している。また、街のいたる所に防犯カメラが設置されているが、マスクをしていると、防犯カメラに顔が映らないため、防犯カメラの防犯効果が半減してしまう。
【考案の概要】
【考案が解決しようとする課題】
【０００３】
このような実情に鑑み、本考案は、銀行のＡＴＭ操作などで犯罪をたくらむ者がマスクで顔を隠せないようにする、犯罪を防止するのに極めて有用な防犯マスクを提供することを目的とする。また、同様にマスクで顔を隠せないようにして、街のいたる所に設置されている防犯カメラに顔が映るようにした、防犯上極めて有用な防犯マスクを提供することを目的とする。
【課題を解決するための手段】
【０００４】
この課題を解決するため、本考案（請求項１の考案）は、着用者の口及び鼻を被う広さの被い面を有するマスク部と、このマスク部を着用者の顔の所定位置に固定するための装着手段を備え、この装着手段を前記マスク部の両側部からそれぞれ半環状に延設した紐状の耳掛け部で構成したマスクであって、このマスクの前記マスク部の全体をこのマスクの前記マスク部で被われた着用者の顔が外部から透けて見える透明な柔軟シート材で形成したことを特徴とする防犯マスクを提供する。
【０００５】
本考案（請求項１の考案）の防犯マスクによれば、このマスクのマスク部で被われた着用者の顔が外部から透けて見えるため、マスクのマスク部で顔を隠すことができない。よって、銀行のＡＴＭ操作などで犯罪をたくらむ者が顔を隠す道具としてマスクを悪用できず、犯罪を防止するのに極めて有用なマスクである。
【０００６】
また、同様な課題を解決するため、本考案（請求項２の考案）は、着用者の口及び鼻を被う広さの被い面を有するマスク部と、このマスク部を着用者の顔の所定位置に固定するための装着手段を備え、この装着手段を前記マスク部の両側部からそれぞれ半環状に延設した紐状の耳掛け部で構成したマスクであって、このマスクの前記マスク部及び前記耳掛け部の全体をこのマスクの前記マスク部及び前記耳掛け部で被われた着用者の顔が外部から透けて見える透明な柔軟シート材で形成したことを特徴とする防犯マスクを提供する。
【０００７】
この考案（請求項２の考案）の防犯マスクによれば、このマスクのマスク部及び耳掛け部で被われた着用者の顔が外部から広い範囲で透けて見えるため、このマスクのマスク部及び耳掛け部で顔を隠すことができない。よって、銀行のＡＴＭ操作などで犯罪をたくらむ者が顔を隠す道具としてマスクを悪用できず、犯罪を防止するのに極めて有用なマスクである。
【０００８】
また、同様な課題を解決するため、本考案（請求項３の考案）は、着用者の口及び鼻を被う広さの被い面を有するマスク部と、このマスク部を着用者の顔の所定位置に固定するための装着手段を備え、この装着手段を、前記マスク部の両側部の内側面に粘着剤を塗布した粘着部と、この粘着部の粘着面を被覆する剥離紙で構成したマスクであって、このマスクの前記マスク部の全体をこのマスクの前記マスク部で被われた着用者の顔が外部から透けて見える透明な柔軟シート材で形成したことを特徴とする防犯マスクを提供する。このマスクを着用する際は、粘着部の粘着面から剥離紙を剥がし、露出した粘着部の粘着面を介してマスクのマスク部を顔の所定位置に貼り付けて固定する。
【０００９】
この考案（請求項３の考案）の防犯マスクによれば、このマスクのマスク部で被われた着用者の顔が外部から透けて見えるため、マスクのマスク部で顔を隠すことができない。よって、銀行のＡＴＭ操作などで犯罪をたくらむ者が顔を隠す道具としてマスクを悪用できず、犯罪を防止するのに極めて有用なマスクである。しかも、このマスクは耳掛け部が不要なため、マスクを低価格で提供できる。
【００１０】
また、本考案（請求項４の考案）は、前記マスク部に多数の微小な通気孔を形成した防犯マスクを提供する。この通気孔は花粉や病菌の侵入を防ぐ微小なものであり、この多数の微小な通気孔の形成によって、マスク内の空気の流通が良くなり呼吸が楽にでき、マスク内のくもりも防ぐことができる。
【００１１】
また、本考案（請求項５の考案）は、前記した透明な柔軟シート材が、透明で柔軟な樹脂フィルム（例えば、塩化ビニール、ポリエチレン、ポリプロピレン）である防犯マスクを提供する。
【００１２】
また、同様な課題を解決するため、本考案（請求項６の考案）は、着用者の口及び鼻を被う広さの被い面を有するマスク部と、このマスク部を着用者の顔の所定位置に固定するための装着手段を備え、この装着手段を前記マスク部の両側部からそれぞれ半環状に延設した紐状の耳掛け部で構成したマスクであって、前記マスク部を、着用者の口及び鼻を被う広さの被い面を有する柔軟シート材から成る被い面部材と、この被い面部材の上端部の内側面に固着され、鼻に当たる部分を鼻に倣って凹状に湾曲形成した鼻当接部を有する鼻当接部材と、前記被い面部材の下端部の内側面に固着され、顎に当たる部分を顎に倣って凹状に湾曲形成した顎当接部を有する顎当接部材とで構成し、前記被い面部材に多数の微小な通気孔を形成し、前記鼻当接部材と顎当接部材は、透明な樹脂部材で形成すると共に、前記被い面部材が着用者の唇にくっつかない様に着用者の唇から離間させるための奥行き幅をもって構成し、柔軟シート材から成る前記被い面部材をこの被い面部材で被われた着用者の顔が外部から透けて見える透明で柔軟な樹脂フィルムで形成したことを特徴とする防犯マスクを提供する。
【００１３】
この考案（請求項６の考案）の防犯マスクによれば、前述した防犯効果に加え、被い面部材（透明で柔軟な樹脂フィルム）に着用者の唇がくっつかないため、マスク内の空気の流通が良くなり呼吸が楽にできる利点がある。
【００１４】
また、同様な課題を解決するため、本考案（請求項７の考案）は、着用者の口及び鼻を被う広さの被い面を有するマスク部と、このマスク部を着用者の顔の所定位置に固定するための装着手段を備え、この装着手段を前記マスク部の両側部からそれぞれ半環状に延設した紐状の耳掛け部で構成したマスクであって、前記マスク部を、着用者の口及び鼻を被う広さの被い面を有する柔軟シート材から成る被い面部材と、この被い面部材の内側面側に固着され、着用者の口及び鼻を枠内に囲む枠体とで構成し、この枠体には、鼻に当たる部分を鼻に倣って凹状に湾曲形成した鼻当接部と、顎に当たる部分を顎に倣って凹状に湾曲形成した顎当接部を有し、前記被い面部材に多数の微小な通気孔を形成し、前記枠体は、透明な樹脂部材で形成すると共に、前記被い面部材が着用者の唇にくっつかない様に着用者の唇から離間させるための奥行き幅をもって構成し、柔軟シート材から成る前記被い面部材をこの被い面部材で被われた着用者の顔が外部から透けて見える透明で柔軟な樹脂フィルムで形成したことを特徴とする防犯マスクを提供する。
【００１５】
この考案（請求項７の考案）の防犯マスクによれば、前述した防犯効果に加え、被い面部材（透明で柔軟な樹脂フィルム）に着用者の唇がくっつかないため、マスク内の空気の流通が良くなり呼吸が楽にできる利点がある。
【考案の効果】
【００１６】
本考案の防犯マスクによれば、マスクで被われた着用者の顔が外部から透けて見えるため、銀行のＡＴＭ操作などで犯罪をたくらむ者がマスクで顔を隠すことができず、同様に街のいたる所に設置されている防犯カメラに顔が映るため、犯罪の防止に役立つ極めて有用なマスクである。
【図面の簡単な説明】
【００１７】
【図１】本考案の防犯マスクの着用状態を示した斜視図である。
【図２】図１の防犯マスクの正面図である。
【図３】本考案の防犯マスクの他の実施形態を示した正面図である。
【図４】本考案の防犯マスクの他の実施形態を示した正面図である。
【図５】本考案の防犯マスクの他の実施形態を示した正面図である。
【図６】本考案の防犯マスクの他の実施形態を示した斜視図である。
【図７】本考案の防犯マスクの他の実施形態を示した斜視図である。
【考案を実施するための形態】
【００１８】
本考案に係る防犯マスクの実施形態を図面に基づき説明する。図１は本考案の防犯マスクを着用した状態を示し、図２は図１の防犯マスクの正面図を示している。また、図３〜図７は本考案の防犯マスクの他の実施形態である。
【００１９】
図１、図２に示した防犯マスク１は、着用者Ａの口及び鼻を被う広さの略方形の被い面を有するマスク部２と、このマスク部２を着用者Ａの顔の所定位置に固定するための装着手段３を備え、この装着手段３を前記マスク部２の両側部からそれぞれ半環状に延設した紐状（図示の実施例では伸縮するゴム紐状）の耳掛け部４で構成したマスクであって、このマスクの前記マスク部２の全体をこのマスクの前記マスク部２で被われた着用者Ａの顔が外部から透けて見える透明な柔軟シート材で形成してある。図１、図２の防犯マスク１は紐状（図示の実施例では伸縮するゴム紐状）の耳掛け部４の両端をマスク部２の側部に溶着などの固着手段で取付け、半環状の耳掛け部４を構成し、この実施例では耳掛け部４を不透明なものとしてある。
【００２０】
マスク部２を形成する透明な柔軟シート材としては、透明で柔軟な熱可塑性の樹脂フィルム（例えば、塩化ビニール、ポリエチレン、ポリプロピレン）を用いている。透明な柔軟シート材は無色透明で透明度の高いものが好ましいが、有色透明な柔軟シート材を除外するものではない。
【００２１】
図２に示したように、この防犯マスク１のマスク部２には多数の微小な通気孔６を形成してある。この通気孔６は０．０３ｍｍ〜０．０５ｍｍ程度の微小な口径のものが好ましい。
【００２２】
図示してないが、マスク部２には、周知の不透明な不織布製マスクのプリーツ（襞）と同様、このマスク部２を上下方向に拡げることができる複数のプリーツ（襞）を形成しても良い。
【００２３】
図１、図２の防犯マスク１によれば、図１に示したように、透明なマスク部２で被われた着用者Ａの顔（口や鼻）が外部から透けて見えるため、マスクのマスク部２で顔を隠すことができない。よって、銀行のＡＴＭ操作などで犯罪をたくらむ者が顔を隠す道具としてマスクを悪用できず、犯罪を防止するのに極めて有用である。
【００２４】
図３に示した本考案の防犯マスク１は、着用者Ａの口及び鼻を被う広さの略方形の被い面を有するマスク部２と、このマスク部２を着用者Ａの顔の所定位置に固定するための装着手段３を備え、この装着手段３を前記マスク部２の両側部からそれぞれ半環状に延設した紐状の耳掛け部４で構成したマスクであって、このマスクの前記マスク部２及び前記耳掛け部４の全体をこのマスクの前記マスク部２及び前記耳掛け部４で被われた着用者の顔が外部から透けて見えるように透明な柔軟シート材で形成してある。
【００２５】
図３に示した防犯マスク１は、マスク部２と耳掛け部４を透明で柔軟な熱可塑性の同一の樹脂フィルム（例えば、塩化ビニール、ポリエチレン、ポリプロピレン）で一体形成してある。なお、マスク部２の両側部にそれぞれ半環状の耳掛け部４の基端部を溶着して取付けても良い。
【００２６】
図３の防犯マスク１も、図２の防犯マスク１と同様に、マスク部２に多数の微小な通気孔６を形成してある。また、図示してないが、図３の防犯マスク１のマスク部２にも、周知の不透明な不織布製マスクのプリーツ（襞）と同様、このマスク部２を上下方向に拡げることができる複数のプリーツ（襞）を形成しても良い。
【００２７】
図３の防犯マスク１によれば、透明なマスク部２及び耳掛け部４で被われた着用者の顔が外部から広い範囲で透けて見えるため、マスクのマスク部２及び耳掛け部４で顔を隠すことができない。よって、銀行のＡＴＭ操作などで犯罪をたくらむ者が顔を隠す道具としてマスクを悪用できず、犯罪を防止するのに極めて有用である。
【００２８】
図４に示した本考案の防犯マスク１も、このマスクの前記マスク部２及び前記耳掛け部４の全体をこのマスクの前記マスク部２及び前記耳掛け部４で被われた着用者の顔が外部から透けて見えるように透明な柔軟シート材で形成してある。透明な柔軟シート材としては、透明で柔軟な熱可塑性の樹脂フィルム（例えば、塩化ビニール、ポリエチレン、ポリプロピレン）を用いている。図４に示したマスクの装着手段３（耳掛け部４）は、マスク部２の両側部からそれぞれ上下２本の結び紐４ａ，４ｂを延設し、この上下２本の結び紐４ａ，４ｂの端部を結ぶことによって、半環状の耳掛け部４を構成できるように成っている。したがって、上下２本の結び紐４ａ，４ｂは、紐の端部を結ぶことによって、半環状の耳掛け部４を構成できる長さを持っている。
【００２９】
図４の防犯マスク１も、図２の防犯マスク１と同様に、マスク部２に多数の微小な通気孔６を形成してある。また、図示してないが、図４の防犯マスク１のマスク部２にも、周知の不透明な不織布製マスクのプリーツ（襞）と同様、このマスク部２を上下方向に拡げることができる複数のプリーツ（襞）を形成しても良い。
【００３０】
図４の防犯マスク１によれば、透明なマスク部２及び耳掛け部４で被われた着用者の顔が外部から広い範囲で透けて見えるため、マスクのマスク部２及び耳掛け部４で顔を隠すことができない。よって、銀行のＡＴＭ操作などで犯罪をたくらむ者が顔を隠す道具としてマスクを悪用できず、犯罪を防止するのに極めて有用である。
【００３１】
図５に示した本考案の防犯マスク１は、着用者の口及び鼻を被う広さの被い面を有するマスク部２と、このマスク部２を着用者の顔の所定位置に固定するための装着手段３を備え、この装着手段３を、前記マスク部２の両側部の内側面に再接着可能な粘着剤を塗布した粘着部５（破線で示した。）と、この粘着部５の粘着面を被覆する剥離紙（図示せず）で構成したマスクであって、このマスクの前記マスク部２の全体をこのマスクの前記マスク部２で被われた着用者の顔が外部から透けて見える透明な柔軟シート材で形成してある。マスク部２を形成する透明な柔軟シート材としては、透明で柔軟な熱可塑性の樹脂フィルム（例えば、塩化ビニール、ポリエチレン、ポリプロピレン）を用いている。このマスクを着用する際は、粘着部５の粘着面から剥離紙（図示せず）を剥がし、露出した粘着部５の粘着面を介してマスクのマスク部２を顔の所定位置に貼り付けて固定する。
【００３２】
図５の防犯マスク１も、マスク部２に多数の微小な通気孔６を形成してある。また、図示してないが、図５の防犯マスク１のマスク部２にも、周知の不透明な不織布製マスクのプリーツ（襞）と同様、このマスク部２を上下方向に拡げることができる複数のプリーツ（襞）を形成しても良い。
【００３３】
図５の防犯マスク１によれば、透明なマスク部２で被われた着用者の顔が外部から透けて見えるため、マスクのマスク部２で顔を隠すことができない。よって、銀行のＡＴＭ操作などで犯罪をたくらむ者が顔を隠す道具としてマスクを悪用できず、犯罪を防止するのに極めて有用である。しかも、図５のマスクは耳掛け部が不要なため、マスクを低価格で提供できる。
【００３４】
図６に示した本考案の防犯マスク１は、着用者Ａの口及び鼻を被う広さの略方形の被い面を有するマスク部２と、このマスク部２を着用者Ａの顔の所定位置に固定するための装着手段３を備え、この装着手段３を前記マスク部２の両側部からそれぞれ半環状に延設した紐状（図示の実施例では伸縮するゴム紐状）の耳掛け部４で構成したマスクであって、前記マスク部２を、着用者の口及び鼻を被う広さの被い面を有する柔軟シート材から成る被い面部材１０と、この被い面部材１０の上端部の内側面に固着され、鼻に当たる部分を鼻に倣って凹状に湾曲形成した鼻当接部１２を有する鼻当接部材１１と、前記被い面部材１０の下端部の内側面に固着され、顎に当たる部分を顎に倣って凹状に湾曲形成した顎当接部１４を有する顎当接部材１３とで構成し、前記被い面部材１０に多数の微小な通気孔６（煩雑となるため図６では通気孔の図示を省略した。図２の通気孔と同様なものである。）を形成し、前記鼻当接部材１１と顎当接部材１３は、透明で硬めの樹脂部材で形成すると共に、前記被い面部材１０が着用者の唇にくっつかない様に着用者の唇から離間させるための奥行き幅（Ｗ）をもって構成し、柔軟シート材から成る前記被い面部材１０をこの被い面部材で被われた着用者の顔が外部から透けて見える透明で柔軟な樹脂フィルム（例えば、塩化ビニール、ポリエチレン、ポリプロピレン）で形成したことを特徴としている。図６の防犯マスク１は紐状（図示の実施例では伸縮するゴム紐状）の耳掛け部４の両端をマスク部２の被い面部材の側部に溶着などの固着手段で取付け、半環状の耳掛け部４を構成し、この実施例では耳掛け部４を不透明なものとしてある。
【００３５】
図７に示した本考案の防犯マスク１は、着用者Ａの口及び鼻を被う広さの略方形の被い面を有するマスク部２と、このマスク部２を着用者Ａの顔の所定位置に固定するための装着手段３を備え、この装着手段３を前記マスク部２の両側部からそれぞれ半環状に延設した紐状（図示の実施例では伸縮するゴム紐状）の耳掛け部４で構成したマスクであって、前記マスク部２を、着用者の口及び鼻を被う広さの被い面を有する柔軟シート材から成る被い面部材１０と、この被い面部材１０の内側面側に固着され、着用者の口及び鼻を枠内に囲む枠体１５とで構成し、この枠体１５には、鼻に当たる部分を鼻に倣って凹状に湾曲形成した鼻当接部１２と、顎に当たる部分を顎に倣って凹状に湾曲形成した顎当接部１４を有し、前記被い面部材１０に多数の微小な通気孔６（煩雑となるため図７では通気孔の図示を省略した。図２の通気孔と同様なものである。）を形成し、前記枠体１５は、透明な樹脂部材で形成すると共に、前記被い面部材１０が着用者の唇にくっつかない様に着用者の唇から離間させるための奥行き幅（Ｗ）をもって構成し、柔軟シート材から成る前記被い面部材１０をこの被い面部材で被われた着用者の顔が外部から透けて見える透明で柔軟な樹脂フィルム（例えば、塩化ビニール、ポリエチレン、ポリプロピレン）で形成したことを特徴としている。図７の防犯マスク１も紐状（図示の実施例では伸縮するゴム紐状）の耳掛け部４の両端をマスク部２の被い面部材の側部に溶着などの固着手段で取付け、半環状の耳掛け部４を構成し、この実施例では耳掛け部４を不透明なものとしてある。
【００３６】
なお、図６，図７に示した防犯マスク１は、大、中、小のサイズ（特にマスク部２のサイズ）をそろえ、顔の大小に合せて使用させる。
【００３７】
図６，図７に示した防犯マスクによれば、前述した防犯効果に加え、被い面部材（透明で柔軟な樹脂フィルム）に着用者の唇がくっつかないため、マスク内の空気の流通が良くなり呼吸が楽にできる利点がある。
【符号の説明】
【００３８】
１  防犯マスク
Ａ  着用者
２  マスク部
３  装着手段
４  耳掛け部
５  粘着部
６  微小な通気孔
１０  被い面部材
１１  鼻当接部材
１２  鼻当接部
１３  顎当接部材
１４  顎当接部
１５  枠体
【図１】
0003185729.tif 000003
【図２】
0003185729.tif 000004
【図３】
0003185729.tif 000005
【図４】
0003185729.tif 000006
【図５】
0003185729.tif 000007
【図６】
0003185729.tif 000008
【図７】
0003185729.tif 000009